(57)【特許請求の範囲】
【請求項１】
外枠(1)に組付けられた前枠(2)裏側の球貯留供給部(21)に、球補給設備の配球ユニット(31)から供給されたパチンコ球を貯留し、遊技球を使用して展開されるゲーム時の入賞成立に対して球貯留供給部(21)内の貯留球を賞球として払出し得るパチンコ遊技機にあって、
前記球貯留供給部(21)では、前枠(2)の裏側上縁部に形成されて複数のパチンコ球を収容可能とした収容凹部(22)と、前枠(2)裏側に装備された裏セット盤(10)の上縁部に形成されて収容凹部(22)との連絡状態で複数のパチンコ球を収容し得る貯留凹部(25)と、裏セット盤(10)の上縁部裏側で貯留凹部(25)に合わせて取着されて前記配球ユニット(31)からのパチンコ球を直接収容し得る球タンク(14)とを有し、前記収容凹部(22),貯留凹部(25)および球タンク(14)に亘る前後方向への貯留容積を拡大した
ことを特徴とするパチンコ遊技機。
【発明の詳細な説明】
【０００１】
【発明の属する技術分野】
この発明は、パチンコ球を使用して所要のゲームを展開し得ると共に、入賞に対して裏側の貯留パチンコ球を賞球として払出し得るパチンコ遊技機に関するものである。
【０００２】
【従来の技術】
パチンコ機やアレンジボール機に代表されるこの種の遊技機では、外枠に組付けられた前枠に、ゲーム内容に応じた遊技盤および各種の遊技構成部材が夫々設置されている他に、裏側に球貯留供給部が装備されている。そして、遊技店内の設置枠台(通称「島」)に配設されて遊技に供された実施状態において、球補給設備の必要運転時に配球ユニットから供給される相当量のパチンコ球を、球貯留供給部内に貯留(収容)している。このもので、遊技操作に基づく球送り・発射作動により遊技球を遊技盤内に打出してゲームを展開し得、そして入賞成立に対して球貯留供給部内の貯留球を賞球払出装置の作動毎に所定数の賞球として払出すようになっている。このような従来のパチンコ遊技機において、前記球貯留供給部は、前枠裏側の裏セット盤の上部に設置された球タンクおよび球整流樋を主体にして構成されており、球補給設備から供給されたパチンコ球を、球タンクに直接受入れて球整流樋内に貯留している。従って、この球貯留供給部において単純に球貯留容積を大きくする場合には、球タンクをできるだけ大きな深い容器にして上端位置に設置することで対応できる。
【０００３】
【発明が解決しようとする課題】
ところで前述のように実施されるパチンコ遊技機では、前記裏セット盤における球貯留供給部の主体をなす球タンクが、前枠の開閉時に前記球補給設備の配球ユニットとの衝突や干渉を避けることが肝要とされている。すなわち配球ユニットは、通常の形態として設置枠台の上板裏側に垂下状に設置されて、下方の球タンク側に指向されているが、各遊技店によってその設置位置(高さ)がまちまちであり、現実には同ユニットの下端が外枠の上枠杆より下がっていることがある。このため夫々のメーカの遊技機では、球タンクを裏セット盤の上縁からある程度低い位置に設置したり、サイズ(深さ)を小さくした球タンクを使用している。しかしながら球タンクの低位置設置では、裏セット盤の中央に必要とされている窓口(遊技盤裏面の点検用開口領域)を大きく成形することができなくなり、一方小サイズの球タンクでは有効な球貯留容積を大きくすることができない、等の問題があった。
【０００４】
【発明の目的】
本発明は、前述した課題を好適に解決するために提案されたもので、機裏側における球貯留供給部を前後方向に有効に拡大化して必要な貯留容積を確保し、深さ(高さ)の小さい球タンクを好適に使用可能にして球補給設備側との干渉回避を図り得るようにしたパチンコ遊技機を提供することを目的とする。
【０００５】
【課題を解決するための手段】
前述した課題を克服し、所期の目的を好適に達成するため本発明に係るパチンコ遊技機は、
外枠に組付けられた前枠裏側の球貯留供給部に、球補給設備の配球ユニットから供給されたパチンコ球を貯留し、遊技球を使用して展開されるゲーム時の入賞成立に対して球貯留供給部内の貯留球を賞球として払出し得るパチンコ遊技機にあって、
前記球貯留供給部では、前枠の裏側上縁部に形成されて複数のパチンコ球を収容可能とした収容凹部と、前枠裏側に装備された裏セット盤の上縁部に形成されて収容凹部との連絡状態で複数のパチンコ球を収容し得る貯留凹部と、裏セット盤の上縁部裏側で貯留凹部に合わせて取着されて前記配球ユニットからのパチンコ球を直接収容し得る球タンクとを有し、前記収容凹部,貯留凹部および球タンクに亘る前後方向への貯留容積を拡大したことを特徴とする。
【０００６】
【作用】
球補給設備の配球ユニットから供給されたパチンコ球は球タンク内に直接受入れられ、該球タンクの底面から順次貯留されると共に、貯留凹部側へも貯留される。そして、パチンコ球が収容凹部の後開口面域のレベルまで貯留されると、それ以後に供給されたパチンコ球はこの収容凹部内へも順次貯留されるようになり、多数個のパチンコ球が前後方向に画成された球貯留供給部に貯留されるに至る。
【０００７】
【発明の実施の形態】
次に、本発明に係るパチンコ遊技機につき、好適な実施例を挙げて、添付図面を参照しながら以下詳細に説明する。なお本実施例では、遊技盤内でのパチンコゲーム中の入賞成立(セーフ球発生)に対して、裏側の貯留パチンコ球を賞球として上,下の球皿へ給出するパチンコ機の場合を主に例示する。
【０００８】
本実施例のパチンコ機について、図１,図２および図３を参照しながら要約説明すると、固定用の外郭枠とされる外枠１の開口前面側に対して、開閉用の搭載枠とされる前枠２が着脱および開閉可能に組付けられている。そして、この前枠２の前後各部に遊技機共通用の構成部材であるガラス扉３、上,下の球皿４,５および発射装置６等が装備されており、また前枠２裏側に位置する遊技盤セット用の保持枠７の裏側に対して、球処理部を備えた裏セット盤１０が装備されている。前枠２は、外枠１の開口面域に適した縦長方形に樹脂成形され、保持枠７は遊技盤１９のセット口８および遊技補助盤９を有する縦長方形をなして前枠２裏側に一体に樹脂成形されている。一方裏セット盤１０は、保持枠７に対応し得る方形サイズに樹脂成形された本体１１の中央部に、遊技盤裏面の点検用の窓口１２を開口して裏カバー１３を開閉および着脱可能に取着しており、この窓口１２の外周囲部に球タンク１４,球整流樋１５および賞球払出装置１６等が設置されていると共に、賞球,アウト球およびセーフ球に係る経路,処理部が配設されている。なお図１中において、符号１７はターミナル基盤、符号１８は遊技基盤を夫々示す。
【０００９】
このようなパチンコ機にあって、前述した前枠２の裏側上縁部と裏セット盤１０の上縁部に亘る図３中左寄り部位に新規な球収容部が成形され、これに前記球タンク１４を合わせて球貯留供給部２１が構成されている。すなわちこの球貯留供給部２１では、基本的な構成として図４,図５および図６に示すように、前枠２裏側の保持枠７の上縁部に形成されて多数個のパチンコ球を収容し得る収容凹部２２と、裏セット盤１０の本体１１上縁部に形成されて収容凹部２２との連絡状態で多数個のパチンコ球を収容し得る貯留凹部２５とにより球収容部が構成されており、そして本体１１の上縁部裏側に位置決めしてビス着された前記球タンク１４が、貯留凹部２５に連絡されている。これにより、球タンク１４自体が高さ(深さ)の小サイズな容器であっても、球タンク１４、貯留凹部２５および収容凹部２２に亘る前後方向への貯留容積の拡大化を図り、必要量のパチンコ球を好適に収容確保できるようになっている。このもとで図５および図６に例示するように、設置枠台(島)の上板３０裏縁に垂下状に取着された補給設備の配球ユニット３１から供給されたパチンコ球を、直接球タンク１４に受入れて下方の球整流樋１５に通入整列収容する一方、貯留凹部２５および収容凹部２２に亘り貯留し得るようになっている。
【００１０】
なお、前述した球貯留供給部２１の具体的な構成を追記すると、収容凹部２２では、前枠２の上縁部２ａの左寄り裏面と、保持枠７の上縁部７ａの左寄り上面の左右に一体成形された壁片２３,２３との間に所要広さで成形されて、その底面２４を後向き下がりの傾斜に形成している。また貯留凹部２５では、裏セット盤１０の本体１１上縁部の所要長さ範囲に亘り後向き開口状に成形されて、本体１１上縁に正面凹形に形成した連絡口部２５ａを、収容凹部２２の後開口面域に整合している。一方球タンク１４では、上面と前面とを開口した一般的な横長箱状の樹脂容器とされて、前側開口面域を貯留凹部２５の後開口面域に整合しており、その斜状底面の最下部に開口された球出口１４ａを、前記球整流樋１５の上流部に適宜間隔をおいて連絡している。ちなみに球貯留供給部２１では、図１,図２,図３および図４に示すように、収容凹部２２と貯留凹部２５の連絡口部２５ａを同長分に成形整合して、球タンク１４の全長に亘る前側開口面域の約１／３位で整合連絡した例を示すが、三者１４,２２,２５ａを同長分で整合してもよい。なお前記連絡口部２５ａの端縁部には、補強用のリブ２５ｂが形成されている。
【００１１】
また本実施例のパチンコ機では、静電気除去対策として、前記裏セット盤１０における球タンク１４の周囲部に、アース用の除電保護カバー２６が装着されている。このカバー２６は、本体１１の帯電除去、配線の除電保護、貯留球の帯電除去等を図るためのもので、具体的には図５,図６および図７に示すように、所要形状，サイズに成形された１枚のものが、本体１１の前側上部、つまり球タンク１４の下部周囲の内側にビス着されて前記遊技盤１９の裏面に隣接している。そしてこの除電保護カバー２６では、前記ターミナル基盤１７に接続されて本体１１前側の挿通路２７内に挿通延出された配線２８を、平板部分２６ａで覆蓋して除電保護する一方、同カバー２６の一部分に形成されたアース部分２６ｂを、球タンク１４の球出口１４ａと球整流樋１５の上流部との連絡部分において本体１１に開口された口１１ａに嵌合して後側に臨ませ、複数のパチンコ球と直接当接して静電除去するようになっている。なおこの除電保護カバー２６については、導電材を混在した樹脂材、表面に導電材(金属)メッキをした樹脂材、薄肉導電材(ブリキ材)等で成形されて、適宜一端にアース線２９が接続される。
【００１２】
更に前記貯留凹部２５の左側下面には、図２,図３および図４等に示す如く、回動式の感知(検知)レバー３２とスイッチ３３とからなる球不足検知機構３４が配設されている。この球不足検知機構３４は、球タンク１４内のパチンコ球の有無を感知するもので、球タンク１４内に貯留されたパチンコ球による感知レバー３２の押圧状態ではスイッチ３３がＯＮ状態となり、該球タンク１４内にパチンコ球が無くなることによる感知レバー３２の非押圧状態ではスイッチ３３がＯＦＦ状態となり、該球タンク１４内の球不足状態を検知するものである。従って、球タンク１４内にパチンコ球が無くなってスイッチ３３がＯＦＦ状態となった際には前記球補給設備が作動し、所定量のパチンコ球が配球ユニット３１を介して球貯留供給部２１内へ補給されるようになっている。
【００１３】
【実施例の作用】
次に、前述した本実施例に係るパチンコ遊技機の作用につき説明する。
【００１４】
本実施例のパチンコ機では、前枠２裏側に位置する遊技盤セット用の保持枠７の裏側に対して裏セット盤１０をビス等により装着すると共に、この裏セット盤１０における本体１１の上縁部裏側に球タンク１４がビス着される。これにより、前枠２裏側の保持枠７の上縁部７ａに形成された収容凹部２２、裏セット盤１０の本体１１の上縁に凹設された貯留凹部２５および前記球タンク１４とにより、前後方向へ連通した球貯留供給部２１が画成される。
【００１５】
そして前述した実施例のパチンコ機を、補給設備の配球ユニット３１が垂下状に取着された遊技店の設置枠台(島)に対して収容設置し、この状態で外枠１に対して前記前枠２を閉鎖すると、図５および図６に示すように、裏セット盤１０の上縁部裏側にビス着された前記球タンク１４が、前記配球ユニット３１の下方に位置するようになる。なお配球ユニット３１は、球タンク１４の高さに応じて上下に適宜調整し、外枠１に対する前枠２の開閉に際して該球タンク１４との干渉を回避する。
【００１６】
外枠１に対して前枠２が閉鎖され、配球ユニット３１が球タンク１４の開口上面に臨んだ状態において、球補給設備から供給されたパチンコ球は、球タンク１４の内部へ落下放出された後に、球出口１４ａから球整流樋１５を介して賞球払出装置１６側へ流下し、該球整流樋１５内に整列状態で停留される。そしてパチンコ球は、球整流樋１５内から球タンク１４の内部へ順次貯留されて適宜の積み重ね状態で貯留されるに至る。また、配球ユニット３１を介して球補給設備からの連続的な供給により、パチンコ球は該貯留凹部２５側にも流入するようになり、前記球タンク１４の内部および貯留凹部２５内に適宜の積み重ね状態で貯留される。
【００１７】
そして、配球ユニット３１を介して球補給設備からの連続的な供給により、球タンク１４の内部および貯留凹部２５に貯留されたパチンコ球が収容凹部２２の底面２４のレベルまで上昇すると、それ以後に供給されたパチンコ球は該収容凹部２２側へ流入するようになり、前記球タンク１４、貯留凹部２５内および収容凹部２２内の全体に適宜の積み重ね状態で貯留されるようになる。
【００１８】
また、球タンク１４の内部に所定量のパチンコ球が貯留された際には、除電保護カバー２６のアース部分２６ｂにパチンコ球が直接当接するようになり、球貯留供給部２１に貯留されたパチンコ球の静電除去が好適になされる。更に、この除電保護カバー２６により、ターミナル基盤１７に接続された配線２８が、好適に除電保護される。
【００１９】
このように本実施例のパチンコ機では、貯留凹部２５および収容凹部２２を画成すると共に、これら貯留凹部２５および収容凹部２２を球タンク１４に連通させた状態で球貯留供給部２１を形成したことにより、パチンコ球に対する前後方向への貯留容積の拡大化を図っている。すなわち、球タンク１４自体が高さ(深さ)の小サイズな容器であっても、前記貯留凹部２５および収容凹部２２により必要量のパチンコ球を好適に収容確保できる。従って、球タンク１４を裏セット盤１０の上縁からある程度低い位置に設置する必要がないから、該裏セット盤１０の窓口１２を大きく成形することが可能となり、遊技盤１９の裏面の点検作業等に支障を来たすこともない。
【００２０】
【発明の効果】
以上説明した如く、本発明に係るパチンコ遊技機によれば、前枠の裏側上縁部に収容凹部を形成すると共に、裏セット盤の上縁部に貯留凹部を形成し、これら収容凹部および貯留凹部を、該裏セット盤の裏側上縁部に取着した球タンクと連通させて前後方向へ延在した球貯留供給部を画成したことにより、パチンコ球に対する前後方向への貯留容積の拡大化を図り得る。これにより、球タンク自体の高さ(深さ)が小サイズな容器であっても、必要量のパチンコ球を好適に収容確保し得る有益な効果を奏する。しかも、球タンクを裏セット盤の上縁からある程度低い位置に設置する必要がないから、該裏セット盤の窓口を大きく成形することが可能となり、遊技盤の裏面の点検作業等に支障を来たすことがない等の利点もある。
【図面の簡単な説明】
【図１】本実施例のパチンコ機全体を略示する背面図である。
【図２】本実施例のパチンコ機全体を略示する平面図である。
【図３】球貯留供給部を一部破断して示す背面図である。
【図４】球貯留供給部を分解して略示する斜視図である。
【図５】図３中のＸ−Ｘ線に基づく側断面図である。
【図６】図３中のＹ−Ｙ線に基づく側断面図である。
【図７】裏セット盤における除電保護部材を略示する正面図である。
【符号の簡単な説明】
１  外枠
２  前枠
１０  裏セット盤
１４  球タンク
２１  球貯留供給部
２２  収容凹部
２５  貯留凹部
３１  配球ユニット
【図１】
0003947854.tif 000002
【図２】
0003947854.tif 000003
【図３】
0003947854.tif 000004
【図４】
0003947854.tif 000005
【図５】
0003947854.tif 000006
【図６】
0003947854.tif 000007
【図７】
0003947854.tif 000008